(57)【要約】【課題】本発明は本等の書籍を置く載置板を固定し、又は直接本等の書籍を固定する書見台に関し、特に書見台の内部にバネを配設し、本等の書籍を直接固定し、又は本等の書籍を置く載置板を固定し、容易に読書を行うことができる書見台を提供するものである。【解決手段】台座に支持された支持部材に取り付けられた書見台であって、基板と移動板で構成され、該移動板は基板に対して左右に移動自在であり、該移動板に配設されたレバーによってスペースを形成し、該スペースに書籍の軸部分を嵌入し、弾性部材の付勢力によって前記書籍の軸部分を固定し、前記書籍を基板と移動板間に固定することを特徴とする。【選択図】図１
2014057696.tif 000002
【特許請求の範囲】
【請求項１】
台座に支持された支持部材に取り付けられた書見台において、
基板と移動板で構成され、該移動板は基板に対して左右に移動自在であり、該移動板に配設されたレバーによってスペースを形成し、該スペースに書籍の軸部分を嵌入し、弾性部材の付勢力によって前記書籍の軸部分を固定し、前記書籍を基板と移動板間に固定することを特徴とする書見台。
【請求項２】
台座に支持された支持部材に取り付けられた書見台において、
基板と移動板で構成され、該移動板は基板に対して左右に移動自在であり、該移動板に配設されたレバーによってスペースを形成し、該スペースに載置補助板の凸部を嵌入し、弾性部材の付勢力によって前記載置補助板を前記基板上に固定することを特徴とする書見台。
【請求項３】
前記弾性部材はバネであり、該バネは前記基板と移動板に形成された溝に配設されていることを特徴とする請求項１、又は２に記載の書見台。
【請求項４】
前記台座と支持部材の取り付けは、前記支持部材に設けられた凸部を前記台座に設けられた溝に嵌入することによって行われることを特徴とする請求項１、又は２に記載の書見台。
【請求項５】
前記書見台と支持部材の取り付けは、前記支持部材に設けられた凸部を前記書見台に設けられた溝に嵌入することによって行われることを特徴とする請求項１、又は２に記載の書見台。
【発明の詳細な説明】
【技術分野】
【０００１】
本発明は本等の書籍を置く載置板を固定し、又は直接本等の書籍を固定する書見台に関する。
【背景技術】
【０００２】
今日、本等の書籍を載置板に置き、書籍を読む為の書見台が広く使用されている。従来このような書見台としては以下のような発明が行われている。例えば、特許文献１は伸縮型ベースバーの両端に読書用クリップを設け、この読書用クリップを使用して本等の書籍を見開き状態とし、読書を行うものである。具体的には、読書用クリップにはページ差込み用隙間が形成され、ここに所望するページを挟みながら読書を進めるものであり、本のサイズに合わせて伸縮型ベースバーを調整し、ロック機構によって固定する発明である。
【０００３】
また、特許文献２は載置板の両側に切割溝が形成された取付孔を設け、この取付孔に支柱を通し、ビスとナットで固定するものであり、載置板上の本等の書籍はページ押えと支え板によって保持される。
【０００４】
さらに、特許文献３は台座と台座上に形成された係止溝に嵌入された支持板で構成され、本等の書籍はこの支持板に対して傾斜して置かれ、下部に設けられた押え具とバネ蝶番によって書籍を支える発明である。
【先行技術文献】
【特許文献】
【０００５】
【特許文献１】特開２００８−２７３１６５号公報
【特許文献２】特開２００６−２９７０３３号公報
【特許文献３】特開２００２−１７４５７号公報
【発明の概要】
【発明が解決しようとする課題】
【０００６】
しかしながら、上記特許文献１及び２の発明は、本の固定を行うが、バネを使用して本の中心（軸部分）を固定するものではない。また、特許文献３の発明は、バネを使用しているが、バネを書見台の内部に配設するものではない。
【０００７】
そこで、本発明は書見台の内部にバネを配設し、本等の書籍を直接固定し、又は本等の書籍を置く載置板を固定し、容易に読書を行うことができる書見台を提供するものである。
【課題を解決するための手段】
【０００８】
上記課題は第１の発明によれば、台座に支持された支持部材に取り付けられた書見台において、基板と移動板で構成され、該移動板は基板に対して左右に移動自在であり、該移動板に配設されたレバーによってスペースを形成し、該スペースに書籍の軸部分を嵌入し、弾性部材の付勢力によって前記書籍の軸部分を固定し、前記書籍を基板と移動板間に固定する書見台を提供することを達成できる。
【０００９】
また、上記課題は第２の発明によれば、台座に支持された支持部材に取り付けられた書見台において、基板と移動板で構成され、該移動板は基板に対して左右に移動自在であり、該移動板に配設されたレバーによってスペースを形成し、該スペースに載置補助板の凸部を嵌入し、弾性部材の付勢力によって前記載置補助板を前記基板上に固定する書見台を提供することを達成できる。
【００１０】
また、上記課題は第３の発明によれば、前記弾性部材はバネであり、該バネは前記基板と移動板に形成された溝に配設されている書見台を提供することを達成できる。
また、上記課題は第４及び第５の発明によれば、前記台座と支持部材の取り付けは、前記支持部材に設けられた凸部を前記台座に設けられた溝に嵌入することによって行われる書見台を提供することを達成できる。
【発明の効果】
【００１１】
本発明によれば、本等の書籍を直接固定し、又は本等の書籍を置く載置板を固定し、容易に読書を行うことができる。また、本等の書籍を固定し、又は本等の書籍を置く載置板を固定する際、書見台内部に配設したバネを使用し、外見上の構成を簡素化することができる。
【図面の簡単な説明】
【００１２】
【図１】本実施形態の書見台の外観図である。
【図２】移動板を矢印ａ方向に移動させた状態を示す図である。
【図３】スペースに本等の書籍の軸部分を固定した状態を示す図である。
【図４】載置板のスペースに載置補助板を取り付けた例を示す図である。
【図５】書見台の裏面図である。
【図６】基板と移動板の構成を説明する図である。
【図７】（ａ）は、載置板の裏面の構成を説明する図であり、（ｂ）は、バネの収納状態を説明する図である。
【図８】台座と支持部材の取り付け構造を説明する図である。
【発明を実施するための形態】
【００１３】
以下、本発明の実施の形態について、図面を参照しながら説明する。
図１は本実施形態の書見台の外観図である。同図において、書見台１は台座２、載置板３、及び支持部材４で構成され、載置板３上に本等の書籍又は後述する載置補助板が配設される。載置板３は基板３ａと移動板３ｂで構成され、移動板３ｂは基板３ａに対して左右に移動可能に構成されている。すなわち、同図に示すライン３ｃより右側に位置する移動板３ｂは、基板３ａに対して矢印ａ、ｂ方向に移動可能に構成されている。
【００１４】
図２は移動板３ｂを矢印ａ方向に移動させた状態を示す図である。例えば、同図は移動板３ｂを矢印ａ方向に移動させ、２ｃｍ程度のスペース５を形成した状態を示す。尚、移動板３ｂには後述するバネによって矢印ｂ方向に常時付勢力が加わっており、このスペース５に本等の書籍の中心（軸部分）を嵌入し、書籍を固定することができる。
【００１５】
図３は上記スペース５に本等の書籍の軸部分を固定した状態を示す図である。同図に示すように、スペース５に嵌入された書籍６は、矢印ｂ方向へのバネの付勢力によって載置板３に固定され、同図に示すように載置板３上で所望のページを見開き、自由に読書することができる。この際、書籍６は確実に載置板３に固定され、書籍６を手で支えたり、見開きページを押さえる必要もない。
【００１６】
一方、図４は上記載置板３のスペース５に載置補助板７を取り付けた例であり、載置補助板７の裏面には不図示の凸部が形成され、この凸部をスペース５に嵌入し、載置補助板７を載置板３に固定する。すなわち、載置補助板７の裏面に形成された凸部は、例えば上下に長く形成され、この上下に長い凸部を上記スペース５に嵌入し、バネの付勢力によって載置補助板７を載置板３に固定するものである。
【００１７】
この場合、本等の書籍６を直接載置板３に固定することはできないが、大きさの異なる載置補助板７を載置板３に固定して使用することができ、例えば大きなサイズの書籍を読む場合において、対応する大きさの載置補助板７を使用することができ、有利である。
【００１８】
次に、載置板３の構成について説明する。
図５は本例の書見台１の裏面図である。前述のように、載置板３は基板３ａと移動板３ｂで構成され、同図に示すように移動板３ｂは基板３ａ上を矢印方向に移動可能に構成されている。前述のバネは基板３ａと移動板３ｂに形成された溝に配設され、このバネの付勢力に抗して移動板３ｂを矢印ａ方向に移動させるレバー８が設けられている。このレバー８は移動板３ｂに内部で固定され、バネの付勢力に抗してレバー８を矢印ａ方向に移動することによって、移動板３ｂを同方向に移動させ、載置板３上に前述のスペース５を形成する。
【００１９】
図６は上記基板３ａと移動板３ｂの構成を説明する図であり、基板３ａには溝１０ａ、１０ｂが形成され、この溝１０ａ、１０ｂに前述のバネが収納されている。また、同図に示す１１ａ、１１ｂは上記バネを溝１０ａ、１０ｂに収納した後、バネの他端を押える部材である。
【００２０】
図７（ａ）上記載置板３の裏面の構成を説明する図であり、同図（ｂ）はバネの収納状態を説明する図である。上記のように、移動板３ｂにも上記基板３ａに形成された溝１０ａ、１０ｂに対面する位置に溝１３ａ、１３ｂが形成され、バネ１２は溝１０ａ（１３ａ）、１０ｂ（１３ｂ）のそれぞれ収納されている。すなわち、バネ１２ａは他端を部材１１ａによって押えられ、溝１０ａ（１３ａ）に収納され、バネ１２ｂは他端を部材１１ｂによって押えられ、溝１０ｂ（１３ｂ）に収納されている。
【００２１】
以上のように構成することによって、バネ１２ａ、１２ｂは載置板３に内蔵され、外部に露出して配設されることがない。したがって、外見上載置板３に突出する部材が無く、極めてすっきりした構造の書見台１とすることができる。
【００２２】
一方、図８は台座２と支持部材４の取り付け構造を説明する図である。台座２には支持部材４に形成された凸部１４が嵌入する溝１５が形成され、この凸部１４を台座２の溝１５に嵌入することによって台座２に支持部材４を固定する。この場合、台座２に形成された溝１５はその先端部１５ａが支持部材４の凸部１４の形状に一致する構成であり、支持部材４の凸部１４を台座２の溝１５に嵌入した後、手前に支持部材４を移動することによって支持部材４を台座２に固定することができる。
【００２３】
尚、図示しないが、載置板３と支持部材４との取り付けも上記と同様である。すなわち、載置板３の基板３ａには支持部材４に形成された凸部が嵌入する溝１６（図７（ａ）、（ｂ）参照）が形成され、この凸部を基板３ａの溝１６に嵌入することによって載置板３に支持部材４を固定することができる。
【００２４】
以上のように、本実施形態によれば、本等の書籍６を直接固定し、又は本等の書籍６を置く載置補助板７を固定し、容易に読書を行うことができる。また、本等の書籍６を固定し、又は本等の書籍６を置く載置補助板７を固定する際、書見台１内部に配設したバネ１２を使用し、外見上の構成を簡素化することができる。
【符号の説明】
【００２５】
１・・・書見台
２・・・台座
３・・・載置板
３ａ・・基板
３ｂ・・移動板
４・・・支持部材
５・・・スペース
６・・・本等の書籍
７・・・載置補助板
８・・・レバー
１０ａ、１０ｂ・・溝
１１ａ、１１ｂ・・押え部材
１２、１２ａ、１２ｂ・・バネ
１３ａ、１３ｂ・・溝
１４・・凸部
１５・・溝
１５ａ・・先端部
１６・・溝
【図１】
2014057696.tif 000003
【図２】
2014057696.tif 000004
【図３】
2014057696.tif 000005
【図４】
2014057696.tif 000006
【図５】
2014057696.tif 000007
【図６】
2014057696.tif 000008
【図７】
2014057696.tif 000009
【図８】
2014057696.tif 000010